(57)【要約】【課題】ロール型トイレットペーパーのホルダーに取付け可能でありながら、ロール型トイレットペーパーの使用には影響が生じない積層型トイレットペーパーのホルダーとする。【解決手段】ロール型トイレットペーパー１０の芯部に挿入されてロール型トイレットペーパー１０を回転可能に掛止する掛止材２０２と、掛止したロール型トイレットペーパー１０を上方から覆うカバー材２０３と、を有するロール型トイレットペーパー１０のホルダー２００に取付け可能とする。この際、積層型トイレットペーパー２０の収納箱と、この収納箱２０から上方に延出し掛止材２０２によって掛止される一対の受け掛止材３と、を備える。そして、この受け掛止材３は、掛止したロール型トイレットペーパー１０の両側方をカバー材２０３の両側方まで延出し、収納箱２が掛止したロール型トイレットペーパー１０と接触しない構成とする。【選択図】図３
2008054878.tif 000002
【特許請求の範囲】
【請求項１】
帯状の連続紙が巻き取られてなるロール型トイレットペーパーの、少なくとも両側端芯部に挿入されて前記ロール型トイレットペーパーを回転可能に掛止する掛止材と、掛止したロール型トイレットペーパーを上方から覆うカバー材と、を有するロール型トイレットペーパーのホルダーに取付け可能な、
複数枚のカット紙が積層されてなる積層型トイレットペーパーのホルダーであって、
前記積層型トイレットペーパーの収納箱と、この収納箱から上方に延出し前記掛止材によって掛止される一対の受け掛止材と、を有し、
この一対の受け掛止材は、前記掛止したロール型トイレットペーパーの両側方を少なくとも前記カバー材の両側方まで延出し、前記収納箱が前記掛止したロール型トイレットペーパーと接触しない構成とされている、ことを特徴とするトイレットペーパーホルダー。
【請求項２】
前記受け掛止材は、紙製とされ、かつ円形状の開口縁、この開口縁と同心円状の内側折り線、この内側折り線と同心円状の外側折り線及びこの外側折り線から前記内側折り線を横切り前記開口縁にまで及ぶ複数本の切断線を有し、
使用にあたり、前記切断線が切断されて複数の折り片が形成され、この各折り片の外側折り線が鈍角となる範囲で内折りされて前記掛止材の挿入口が形成され、この挿入口に前記掛止材が挿入されて前記各折り片の一部が前記掛止材から上方への力を受けても、前記内側折り線が内折りされて、前記外側折り線の鈍角状態は維持されるように構成された、請求項１記載のトイレットペーパーホルダー。
【発明の詳細な説明】
【技術分野】
【０００１】
本発明は、複数枚のカット紙が積層されてなる積層型トイレットペーパーのホルダーに関するものである。より詳しくは、帯状の連続紙が巻き取られてなるロール型トイレットペーパーのホルダーに取付け可能なトイレットペーパーホルダーに関するものである。
【背景技術】
【０００２】
近年、トイレットペーパーは、帯状の連続紙が巻き取られてなるロール型トイレットペーパー（トイレットロール）が、一般的である。このロール型トイレットペーパーは、トイレ等において、トイレットペーパーホルダーで掛止されて、使用に供されている。
【０００３】
このトイレットペーパーホルダーとしては、例えば、図１や図２に示すものがある。
図１に示すトイレットペーパーホルダー１００は、トイレの壁面等に固定され、掛止したロール型トイレットペーパーの両側方へ延出する袖板１０１，１０１と、この袖板１０１，１０１から内方に突出し、掛止したロール型トイレットペーパーの両側端芯部に挿入されるフック１０２，１０２と、掛止したロール型トイレットペーパーを上方から覆い、例えば前端縁１０３Ａが紙切板として機能するカバー材１０３と、から主になる。このトイレットペーパーホルダー（以下、単にフック型ホルダーともいう。）１００においては、フック１０２，１０２が、上方に押し倒して袖板１０１，１０１に沿わせることができるが、上方への力が加わらなくなるとばね等の反発力によって元の状態に戻るように構成されている。したがって、ロール型トイレットペーパーをワンタッチで掛止することができ、この利便性から、近年特に一般家庭での普及率が高くなっている。
【０００４】
一方、図２に示すトイレットペーパーホルダー２００は、従来から汎用化されていたものである。このトイレットペーパーホルダー２００は、トイレの壁面等に固定され、掛止したロール型トイレットペーパーの両側方へ延出する、例えばスチール製やステンレス製の袖板２０１，２０１と、この袖板２０１，２０１に形成された軸受け孔２０１Ａ，２０１Ａに両端部の突起２０２Ａ，２０２Ａが嵌入されることで袖板２０１，２０１に保持されるロール状の芯棒２０２と、掛止したロール型トイレットペーパーを上方から覆い、例えば前端縁２０３Ａが紙切板として機能するカバー材２０３と、から主になる。このトイレットペーパーホルダー２００（以下、単に芯棒型ホルダーともいう。）は、トイレットペーパーホルダー１００のフック１０２，１０２に替えて、芯棒２０２を備えたものであり、紙管等によって中空状とされたロール型トイレットペーパーの芯部に芯棒２０２を挿入し、芯棒２０２を袖板２０１，２０１に保持させることにより、ロール型トイレットペーパーを掛止する。
【０００５】
これら従来のトイレットペーパーホルダーは、ロール型トイレットペーパーを掛止させる手順が異なるものの、ロール型トイレットペーパーの、少なくとも両側端芯部に挿入されてロール型トイレットペーパーを回転可能に掛止するフック１０２，１０２や芯棒２０２からなる掛止材と、掛止したロール型トイレットペーパーを上方から覆うカバー材１０３，２０３と、を有する点では共通する。また、ロール型トイレットペーパーは、ＪＩＳ規格で紙幅１１４±２ｍｍとされているため、従来のトイレットペーパーホルダーの両袖板１０１，１０１間、あるいは２０１，２０１間の距離も、ほぼ統一されている。
【０００６】
このように、現在においては、ロール型トイレットペーパーが一般的であり、このロール型トイレットペーパーに適合するようにトイレットペーパーホルダーが作られているが、この形態は、次のような問題も有している。
すなわち、本形態による場合は、１回の拭き取りごとに、両手で帯状の連続紙を適当な長さ繰り出し、この繰り出した連続紙を一方の手で掴むとともに、他方の手をカバー材に添えてロール型トイレットペーパーの回転を抑えながら、連続紙を切り取らなければならない。したがって、両手での作業が必要となり、特に、怪我や病気などで片手が不自由な人にとって不便であった。
【０００７】
そこで、現在では、複数枚のカット紙が積層されてなる積層型トイレットペーパーの使用が提案されている（例えば、特許文献１参照。）。しかしながら、特許文献１の形態においては、積層型トイレットペーパーを収納する収納箱を、吊り金具で引っ掛けたり、専用の受け台や支持台で保持したりする必要があり、汎用的でない。
そこで、吊り金具や専用の受け台、支持台を不要とするために、ロール型トイレットペーパーのホルダーに取付け可能な積層型トイレットペーパーのホルダーが提案されている（例えば、特許文献２参照。）。特許文献２の形態は、積層型トイレットペーパーの収納箱に、ロール型トイレットペーパーホルダーのフックや芯棒に差込み装着するための、係止腕や係止孔を設けたものである。しかしながら、特許文献２の形態は、ロール型トイレットペーパーホルダーに取付け可能であるという点で汎用性を有するが、ロール型トイレットペーパー自体を使用することができなくなってしまうという問題を有する。ロール型トイレットペーパーは、ロール型トイレットペーパーとして、従来通りに使用したいという要望は当然ある。
そこで、積層型トイレットペーパーの収納箱をロール型トイレットペーパーホルダーのカバー材上に着脱可能に載架使用できるように構成した形態が提案されている（例えば、特許文献３参照。）。しかしながら、特許文献３の形態は、ロール型トイレットペーパーを一応使用することができるが、カバー材を上方に跳ね上げることができなくなってしまう。したがって、連続紙の切断縁がカバー材の端縁に一致し、あるいはカバー材に隠れてしまった場合に、いったん収納箱を取り外す必要があり、ロール型トイレットペーパーの使用に影響が生じる。
【特許文献１】特開平９−１５４７６５号公報
【特許文献２】特開２００１−７８９１９号公報
【特許文献３】特開２００２−１１２９２０公報
【発明の開示】
【発明が解決しようとする課題】
【０００８】
本発明が解決しようとする主たる課題は、ロール型トイレットペーパーのホルダーに取付け可能でありながら、ロール型トイレットペーパーの使用には影響が生じない積層型トイレットペーパーのホルダーを提供することにある。
【課題を解決するための手段】
【０００９】
この課題を解決した本発明は、次のとおりである。
〔請求項１記載の発明〕
帯状の連続紙が巻き取られてなるロール型トイレットペーパーの、少なくとも両側端芯部に挿入されて前記ロール型トイレットペーパーを回転可能に掛止する掛止材と、掛止したロール型トイレットペーパーを上方から覆うカバー材と、を有するロール型トイレットペーパーのホルダーに取付け可能な、
複数枚のカット紙が積層されてなる積層型トイレットペーパーのホルダーであって、
前記積層型トイレットペーパーの収納箱と、この収納箱から上方に延出し前記掛止材によって掛止される一対の受け掛止材と、を有し、
この一対の受け掛止材は、前記掛止したロール型トイレットペーパーの両側方を少なくとも前記カバー材の両側方まで延出し、前記収納箱が前記掛止したロール型トイレットペーパーと接触しない構成とされている、ことを特徴とするトイレットペーパーホルダー。
【００１０】
〔請求項２記載の発明〕
前記受け掛止材は、紙製とされ、かつ円形状の開口縁、この開口縁と同心円状の内側折り線、この内側折り線と同心円状の外側折り線及びこの外側折り線から前記内側折り線を横切り前記開口縁にまで及ぶ複数本の切断線を有し、
使用にあたり、前記切断線が切断されて複数の折り片が形成され、この各折り片の外側折り線が鈍角となる範囲で内折りされて前記掛止材の挿入口が形成され、この挿入口に前記掛止材が挿入されて前記各折り片の一部が前記掛止材から上方への力を受けても、前記内側折り線が内折りされて、前記外側折り線の鈍角状態は維持されるように構成された、請求項１記載のトイレットペーパーホルダー。
【発明の効果】
【００１１】
本発明によると、ロール型トイレットペーパーのホルダーに取付け可能でありながら、ロール型トイレットペーパーの使用には影響が生じない積層型トイレットペーパーのホルダーとなる。
【発明を実施するための最良の形態】
【００１２】
次に、本発明の実施の形態を説明する。
図３に、本実施の形態のトイレットペーパーホルダー１を示した。本トイレットペーパーホルダー１は、複数枚のカット紙が積層されてなる積層型トイレットペーパー２０（図４参照）のホルダーである。本トイレットペーパーホルダー１は、帯状の連続紙が巻き取られてなるロール型トイレットペーパー１０のホルダーに取付け可能とされている。このロール型トイレットペーパー１０のホルダーは、従来から存在するものであり、ロール型トイレットペーパー１０の少なくとも両側端芯部に挿入されてロール型トイレットペーパー１０を回転可能に掛止する掛止材と、掛止したロール型トイレットペーパー１０を上方から覆うカバー材と、を重に有する。このロール型トイレットペーパー１０のホルダーとしては、前述したように、図１に示すようなフック型ホルダー１００や、図２に示すような芯棒型ホルダー２００などがある。以下では、本形態のホルダー１を、芯棒型ホルダー２００に取り付ける場合を例に説明する。
【００１３】
本形態のホルダー１は、図３や図４に示すように、積層型トイレットペーパー２０の収納箱２と、この収納箱２から上方に延出し掛止材たる芯棒２０２によって掛止される一対の受け掛止材３，３と、を主に有する。
【００１４】
本形態の収納箱２は、直方体状で、かつ内部に積層型トイレットペーパー２０を収納することができるよう中空構造になっている。この収納箱１は、例えば、紙や樹脂シート等からなる平板状の１枚の基材を、ミシン目線、折り筋線、低坪量線等からなる折り線で折り、ホットメルト等の接着剤で糊代を接着するなどして、製造することができる。もちろん、収納箱２の形状、製法等を以上に限定する趣旨ではない。例えば、形状を、立方体状等の他の六面体状とすることや、天面及び底面が平面とされた円筒状にすることなどもでき、また、複数枚の基材を貼り合わせて製造することなどもできる。
【００１５】
本形態のホルダー１は、使い捨てを前提とする「使い捨て型」とするか、収納箱１内に積層型トイレットペーパー２０を継ぎ足すことを前提とする「継続利用型」とするかは、特に限定されない。
【００１６】
ただし、継続利用型とする場合は、図８に示すように、収納箱２の前面２ａが開口するようにするのが好ましい。前面２ａが開口すると、積層型トイレットペーパー２０の継ぎ足しに際して、例えば、芯棒２０２から一対の受け掛止材３，３を外す必要がなく、容易である。本形態では、前面２ａを開口可能とするについて、以下の構成を採用している。まず、収納箱２の天面２ｂを構成する天板の前端縁中央部に、幅方向に沿う折り線６Ｂにおいて折曲げ自在とされた爪片６を設けている。また、天板には、爪片６の両側縁基端部から後方に沿う切込み６Ａ，６Ａを入れている。一方、収納箱２の前面２ａを構成する前板は、下端縁が折曲げ自在な開口構造としている。また、前板の上端縁には、全幅にわたって折れ片５を設け、この折れ片５の幅方向中央基端部に、爪片６の差込孔５Ａを形成している。本形態において、前面２ａを閉じるにあたっては、切込み６Ａ，６Ａを利用して爪片６を上方に持ち上げ、前板を閉じた後、差込孔５Ａに爪片６Ａを差し込む。
【００１７】
他方、前面２ａを開くにあたっては、切込み６Ａ，６Ａを利用して爪片６を差込孔５Ａから抜いて上方に持ち上げ、前板を開けば足りる。このように、本形態によれば、前面２ａを簡易に開閉することができ、また、前面２ａが意図せずに開いてしまうのが防止される。
【００１８】
他方、本形態のホルダー１を使い捨て型とする場合は、収納箱２の製造に際して、内部に積層型ティシュペーパー２０を収納し、例えば、商品化することになる。また、使い捨て型とする場合は、使用後、解体するなどしてから、廃棄することになる。そこで、この解体を容易にするために、収納箱２に、ミシン目線やハーフスリット等からなる切断補助線を形成しておくのも、好ましい形態である。この切断補助線に関しては、例えば、既存のボックス型ティシュペーパー等で採用されている形態を参考にすることもできる。既存のボックス型ティシュペーパーにおいては、例えば、側面に円弧状の切断補助線を形成している。この形態においては、円弧状の切断補助線の内側に指などを挿入し、側方に引くことによって、側面が開かれるため、解体容易である。
【００１９】
ところで、収納箱２には、内部に収納されたトイレットペーパーを取り出すための取出口を設ける必要がある。この取出口を、収納箱２のどこに設けるかは特に限定されない。例えば、特開２０００−３５０６７１号公報の図２などに示されるように、収納箱２の底板に、幅方向に沿うように設けることができる。
【００２０】
ただし、本形態のホルダー１は、後で詳しく説明するように、ロール型トイレットペーパーホルダー２００の下方に位置するものである。したがって、取出口が収納箱２の底板に設けられていると、トイレットペーパーの取出し容易性に劣ることになる。
【００２１】
そこで、本形態では、図３に示すように、取出口４を、前面２ａを構成する前板に設けている。この取出口４はあらかじめ形成しておくこともできる。ただし、ホルダー１を、収納箱２の内部に積層型トイレットペーパー２０が収納された状態で販売する使い捨て型とする場合は、現在汎用的なボックス型ティシュペーパーと同様にするのが好ましい。すなわち、収納箱２の前板に、ミシン目線、ハーフスリット等からなる切断補助線を環状に形成しておく。この形態においては、使用にあたり、かかる切断補助線の全部又は一部を裂開し、かかる切断補助線で囲まれる部位を剥ぎ取り、あるいは折り返すことにより、取出口４が形成される。
【００２２】
本形態においては、収納箱２の前板の内面に、取出口４を塞ぐように、図示しないフィルムシート等を接着剤等によって貼り付けておくこともできる。このフィルムシートのほぼ中央部には、取出口４の長手方向に沿うスリットを形成しておき、このスリットからトイレットペーパーの取り出しを行う。この形態によると、トイレットペーパーの衛生性が向上する。もちろん、取出口４は、フィルムレスとすることもできる。
【００２３】
取出口４にフィルムシートを設けるか否かにかかわらず、取出口４の幅（高さ）Ｌは、２０〜８０ｍｍとするのが好ましく、３０〜５０ｍｍとするのがより好ましい。取出口４の幅が２０ｍｍ未満であると、トイレットペーパーの取出し容易性に劣る。他方、取出口４の幅が８０ｍｍを超えると、フィルムレスとする場合は衛生性に劣り、フィルムを設ける場合は強度に劣る。
【００２４】
本形態のホルダー１は、その素材が特に限定されない。例えば、使い捨て型とする場合は、板紙等の紙や樹脂シート等を、継続利用型とする場合は、これらに加えてプラスチックや金属等を、好適に使用することができる。
【００２５】
素材を板紙とする場合、その坪量は、通常５０〜６００ｇ／ｍ2、好ましくは３００〜６００ｇ／ｍ2である。坪量が５０ｇ／ｍ2未満であると、収納箱２の外力による強度が維持できないおそれがある。他方、坪量が６００ｇ／ｍ2を超えると、ホルダー１が、不必要に重くなる。
【００２６】
ここで、本形態において、収納箱２の内部に収納する積層型トイレットペーパー２０は、ロール型トイレットペーパー１０のように帯状の連続紙が巻き取られてなるものではなく、複数枚のカット紙（トイレットペーパー）が下方から上方に積層されてなるものである。したがって、連続紙の場合におけるような両手での繰り出し、切り取り作業が不要である。
【００２７】
各カット紙の形状は、特に限定されず、正方形状、長方形状等の方形状、真円形状、楕円形状等の円形状、その他の任意の形状とすることができる。ただし、通常は、現在ボックス型ティシュペーパーにおいて汎用化されているのと同様に、方形状である。
【００２８】
一方、各カット紙の積層の方法も、特に限定されない。例えば、各カット紙を開いた状態で単に積層する形態、各カット紙を折り畳んで単に積層する形態、例えば、特開平９−１５４７６５号公報の図１（ａ）、図２（ｂ）、図３（ａ）や、特開２００１−７８９１９号公報の図４、図５に示すように、各カット紙を折り畳むとともに、相互に隣接する下側のカット紙の上端片と上側のカット紙の下端片とが入れ違いになるように積層する形態、などを例示することができる。この最後の形態は、上側のカット紙を引き上げると下側のカット紙も引き上げられるものであり、ポップアップ式と呼ばれて、ボックス型ティシュペーパー等において、汎用化されているものである。ただ、本形態においては、取出口４を収納箱２の前面２ａに設けており、特開平９−１５４７６５号公報や特開２００１−７８９１９号公報のように、取出口４を天面や底面に設けて、次のカット紙を取出口４から露出させるものではない。したがって、ポップアップ式とすることに極めて大きなメリットがあるわけではない。製造工程におけるカット紙の積層容易性という観点から適宜設計するとよい。なお、ポップアップ式とすると、次のカット紙を取り出し易くなるという利点があるが、逆に次のカット紙が収納箱４から露出するが故に、衛生的でないという欠点がある。
【００２９】
ところで、ロール型トイレットペーパーの場合は、使用者や用途（大用又は女性小用等）などによっても異なるが、通常、連続紙が５枚〜１０枚程度に重ねられたうえで切断され、使用されている。そこで、各カット紙は、大きさ２３０×２００ｍｍ、坪量（複数プライの場合は複数プライの状態での坪量）１０〜５０ｇ／ｍ2の方形状とするのが好ましい。この形態によれば、各カット紙を１〜２枚、多くとも２〜３枚重ねたのみで、ロール型トイレットペーパーにおけるのと同様の使用が可能となる。この際、各カット紙は、２プライ（２枚重ね）や３プライ（３枚重ね）等の複数プライであってもよい。
【００３０】
本形態においては、収納箱２の大きさを高さ（上下）１００〜１３０ｍｍ、幅２００〜３００ｍｍ、奥行き５０〜１００ｍｍとし、各カット紙を２００組（合計４００枚）、あるいは１８０組（合計３６０枚）積層して収納することができるようになっている。
【００３１】
一方、図３に示すように、収納箱２から上方に延出する一対の受け掛止材３，３は、ともに上側が円弧状の平板状とされている。この一対の受け掛止材３，３は、前後方向（奥行き方向）に沿って、互いが平行となるように配置されている。
【００３２】
一対の受け掛止材３，３の略中央部には、略円形状の開口３Ａ，３Ａが形成されている。本ホルダー１をロール型トイレットホルダー２００に取り付けるに際しては、図４に示すように、かかる開口３Ａ，３Ａに、ロール型トイレットホルダー２００の芯棒２０２を挿通する。これにより、受け掛止材３，３、更にはホルダー１が、芯棒２０２によって掛止され、本ホルダー１がロール型トイレットホルダー２００に取り付けられた状態になる。
【００３３】
受け掛止材３の開口３Ａは、その形成方法が特に限定されず、例えば、あらかじめ形成しておくこともできる。ただし、特にホルダー１を使い捨て型とする場合は、取出口４と同様に、受け掛止材３にミシン目線、ハーフスリット等からなる切断補助線を環状に形成しておき、使用にあたり、かかる切断補助線の全部又は一部を裂開し、かかる切断補助線で囲まれる部位を剥ぎ取り、あるいは折り返すことにより、形成するのが好適である。
【００３４】
本形態において、一対の受け掛止材３，３は、収納箱２と一体的に形成されていても、別体とされていてもよい。その素材も収納箱２と同様に、例えば、使い捨て型とする場合は、板紙等の紙や樹脂シートなどを、継続利用型とする場合は、これらに加えてプラスチックや金属等を、好適に使用することができる。
【００３５】
ただし、特にホルダー１を使い捨て型とする場合は、一対の受け掛止材３，３が天面２ｂに沿って倒伏可能となるようしておくのが好ましい。一対の受け掛止材３，３が倒伏可能であると、積層型トイレットペーパー２０が収納されたホルダー１を、上下に、例えば、３〜５個積み重ね、この積み重ね状態でフィルムシート等の包装材によって包装して、販売することができる。つまり、現在汎用化されているボックス型ティシュペーパーと同様の販売が可能となる。
【００３６】
この形態においては、使用に先立って、フィルムシート等の包装材を引き裂くなどして包装解除し、各ホルダー１を取り出す。そして、取り出したホルダー１の受け掛止材３，３を収納箱２の天面２ｂから起立させ、開口３Ａ，３Ａに芯棒２０２を挿通する。この挿通は、受け掛止材３，３間において、ロール型トイレットペーパー１０の紙管１１内にも芯棒２０２が挿通されるように行う。これらの挿通を行った芯棒２０２は、その両端部の突起２０２Ａ，２０２Ａを袖板２０１，２０１に形成された軸受け孔２０１Ａ，２０１Ａに嵌入させて、袖板２０１，２０１に装着する（保持させる）。この後、必要により取出口４を形成するなどして、積層型トイレットペーパー２０が使用可能となる。
【００３７】
本形態においては、受け掛止材３，３に開口３Ａ，３Ａを設ける形態としたため、芯棒２０２をいったん取り外す必要が生じた。しかしながら、例えば、特開２００１−７８９１９号公報の図２に示すように、開口３Ａ，３Ａが閉じておらず、受け掛止材３，３の外周縁に開いた形状となっていれば、芯棒２０２を取り外すことなく、装着が可能となる。受け掛止材３，３をどのようにして、掛止材たる芯棒２０２やフック１０２，１０２によって掛止されるようにするかは、受け掛止材３，３の強度等を考慮して、適宜設計するとよい。
【００３８】
ところで、以上のようにしてなる一対の受け掛止材３，３は、図４や図５の（１）に拡大して示すように、その上端部が、掛止したロール型トイレットペーパー１０の両側方を通って、少なくともカバー材２０３の両側方まで延出する。この形態によると、ホルダー１が幅方向一方に動くとしても、図５の（２）に示すように、カバー材２０３の側端面２０３ａによって受け掛止材３の動きが制限される。つまり、ロール型トイレットペーパー１０と受け掛止材３との間には、常に間隙Ｘが形成される。したがって、ロール型トイレットペーパー１０の側面１０ａが受け掛止材３と接触し、その摩擦によって、ロール型トイレットペーパー１０が回転し難くなるおそれがなく、ロール型トイレットペーパー１０の使用に影響が生じない。
【００３９】
なお、図６の（１）に示すように、受け掛止材３´の上端部が掛止したロール型トイレットペーパー１０の側方を通りつつもカバー材２０３の側方まで延出しないと、ホルダー１が幅方向一方に動いた際に、図６の（２）に示すように、ロール型トイレットペーパー１０の側面１０ａが受け掛止材３´と接触し、その摩擦によって、ロール型トイレットペーパー１０が回転し難くなるおそれがある。
【００４０】
さらに、本形態の受け掛止材３，３は、図７に示すように、収納箱２の天面２ｂが、掛止したロール型トイレットペーパー１０の下端面１０ｂと接触しないように、構成されている。かかる両者２ｂ，１０ｂが接触すると、その摩擦によって、ロール型トイレットペーパー１０が回転し難くなるおそれがあるため、これを避ける趣旨である。
【００４１】
両者２ｂ，１０ｂの接触は、例えば、受け掛止材３，３の延出長さや、開口３Ａ，３Ａの位置などを調節することにより、避けることができる。具体的には、ロール型トイレットペーパー１０は、ＪＩＳ規格によると、未使用状態において、直径１２０ｍｍ以下、芯の径３８±１ｍｍであることからして、受け掛止材３，３の延出長さを１２１〜１４０ｍｍ、開口３Ａ，３Ａの中心点位置を収納箱２の天面２ｂから８０〜９０ｍｍとすれば、接触を避けることができる。この際、両者２ｂ，１０ｂ間の距離Ｍは、ロール型トイレットペーパー１０が未使用の状態において、０．５〜９．５ｍｍとなる。
【００４２】
ところで、先にロール型トイレットペーパー１０と受け掛止材３との間に間隙Ｘが形成される形態を示したが、この間隙Ｘは、カバー材２０３がどの位の幅を有するかに依存するため、受け掛止材３が紙製とされている場合においては、受け掛止材３のたわみを原因として、間隙Ｘが確実に形成されない可能性もある。そこで、受け掛止材３が紙製とされている場合においては、次の形態を推奨する。
【００４３】
すなわち、受け掛止材３の開口３Ａ部分を、図９に示すように、円形状の開口縁３１、この開口縁３１と同心円状の内側折り線３２、この内側折り線３２と同心円状の外側折り線３３及びこの外側折り線３３から内側折り線３２を横切り開口縁３１にまで及ぶ複数本の、図示例では８本の切断線３４，３４…を有する受け掛止機構３０とする。
【００４４】
この形態においては、図１０に示すように、使用にあたり、開口縁３１内に指を挿入するなどして、切断線３４，３４…を切断し、複数の折り片３５，３５…を形成する。この各折り片３５，３５…は、外側折り線３３の折り角αが鈍角となる範囲で内折りし、もって掛止材たる芯棒２０２の挿入口を形成する。このようにして形成された挿入口には、芯棒２０２が挿入され、各折り片３５，３５…の一部、つまり上側の折り片３５が芯棒２０２から上方への力を受けることになるが、紙管１１と芯棒２０２との挟み込み作用により、内側折り線３２が内折りされて、外側折り線３３の鈍角状態は維持される。したがって、折り片３５の外側折り線３３から内側折り線３２の部位によって、トイレットペーパー１０の受け掛止材３側への移動が阻止され、間隙Ｘが確実に確保される。この点、折り片３５が芯棒２０２から上方への力を受けると、内側折り線３２だけではなく外側折り線３３も折られてしまうようにも思えるが、本形態では両折り線３２，３３が曲線となっており、直線の場合よりも大きな折り曲げ力が必要になるため、かかるおそれが少ないものとなる。
【産業上の利用可能性】
【００４５】
本発明は、帯状の連続紙が巻き取られてなるロール型トイレットペーパーのホルダーに取付け可能な、複数枚のカット紙が積層されてなる積層型トイレットペーパーのホルダーとして、適用可能である。
【図面の簡単な説明】
【００４６】
【図１】ロール型トイレットペーパーホルダーの形態例（斜視図）である。
【図２】ロール型トイレットペーパーホルダーの形態例（斜視図）である。
【図３】本形態の積層型トイレットペーパーホルダーの斜視図である。
【図４】本形態の積層型トイレットペーパーホルダーをロール型トイレットペーパーホルダーに取り付けた状態を示す縦断面図である。
【図５】本形態の積層型トイレットペーパーホルダーの長所を説明するための図である。
【図６】本形態の積層型トイレットペーパーホルダーの長所を説明するための比較図である。
【図７】本形態の積層型トイレットペーパーホルダーをロール型トイレットペーパーホルダーに取り付けた状態を示す縦断面要部拡大図である。
【図８】本形態の積層型トイレットペーパーホルダーの前面を開口した状態における斜視図である。
【図９】他の形態の受け掛止材の平面図である。
【図１０】他の形態の受け掛止材が備えられた積層型トイレットペーパーホルダーをロール型トイレットペーパーホルダーに取り付けた状態を示す縦断面要部拡大図である。
【符号の説明】
【００４７】
１…積層型トイレットペーパーホルダー、２…収納箱、３…受け掛止材、４…取出口、１０…ロール型トイレットペーパー、１１…紙管、２０…積層型トイレットペーパー、１００，２００…ロール型トイレットペーパーホルダー、１０１，２０１…袖板、１０２…フック材、１０３，２０３…カバー材、２０２…芯棒。
【図１】
2008054878.tif 000003
【図２】
2008054878.tif 000004
【図３】
2008054878.tif 000005
【図４】
2008054878.tif 000006
【図５】
2008054878.tif 000007
【図６】
2008054878.tif 000008
【図７】
2008054878.tif 000009
【図８】
2008054878.tif 000010
【図９】
2008054878.tif 000011
【図１０】
2008054878.tif 000012